(57)【要約】【課題】視聴者の番組に対する視聴意欲を上げるような放送受信装置、およびそのポイント取得方法を提供すること。【解決手段】ＴＶ受像機１０をユーザが視聴すると、ユーザが視聴している番組の情報を視聴情報管理部４６が取得する。視聴状態判定部４７では、視聴情報管理部４６が取得した番組の情報を基に、ユーザが現在視聴している番組は、リスト保存部４５が保持するポイント取得対象番組リストに含まれるかを判定する。ユーザが現在視聴している番組がポイント取得対象番組リストに含まれていると判定されると、当該番組に応じたポイントが付与される。具体的には、ユーザが現在視聴している番組に応じたポイント数等の情報をポイント更新部４８がポイント保存部４９に出力する。ポイント保存部４９には、ユーザがポイント取得対象番組を視聴するごとに、当該番組に応じたポイント数等の情報が記憶される。【選択図】図１
2011160215.tif 000002
【特許請求の範囲】
【請求項１】
放送波を受信する放送受信装置であって、
上記放送波から、ユーザが選局したチャンネルにおいて放送中の番組を抽出する番組抽出手段と、
上記抽出された番組が、予め定められた特典と交換可能なポイントの取得対象であるか否かを判定するポイント取得判定手段と、
上記抽出された番組が上記ポイントの取得対象であると判定された場合、当該ポイントを記憶部に保存するポイント保存手段とを備えていることを特徴とする放送受信装置。
【請求項２】
上記抽出された番組に関する番組情報を取得する番組情報取得手段と、
上記放送波から抽出可能な番組ごとに、当該番組に関する番組情報と、当該番組に応じた上記ポイントとを互いに関連付けて記録したリストを保持するリスト保存部とをさらに備え、
上記ポイント取得判定手段は、上記抽出された番組に関する上記番組情報が、上記リストに含まれている場合に、当該番組が上記ポイントの取得対象であると判定し、
上記ポイント保存手段は、上記抽出された番組が上記ポイントの取得対象であると判定された場合、上記リストに記録された、当該番組に応じた上記ポイントを上記記憶部に保存することを特徴とする請求項１に記載の放送受信装置。
【請求項３】
上記リストには、上記放送波から抽出可能な上記番組ごとに、当該番組に関する上記番組情報に所定の基準時間が関連付けて記憶されており、
上記番組が抽出されてからの経過時間を測定する測定手段をさらに備え、
上記ポイント保存手段は、上記測定された経過時間が、上記抽出された番組に関する番組情報に関連付けて上記リストに記憶されている上記基準時間に達した場合に、上記番組が上記ポイントの取得対象であると判定することを特徴とする請求項２に記載の放送受信装置。
【請求項４】
上記番組をディスプレイに表示する表示手段をさらに備えており、
上記ポイント取得判定手段は、上記抽出された番組が上記ディスプレイに表示された場合、当該番組が上記ポイントの取得対象であると判定することを特徴とする請求項２または３に記載の放送受信装置。
【請求項５】
上記ポイント取得判定手段によって、上記抽出された番組が上記ポイントの取得対象であると判定された場合、上記表示手段は、当該番組と共に、当該番組が上記ポイントの取得対象であることを示す情報を上記ディスプレイに表示することを特徴とする請求項４に記載の放送受信装置。
【請求項６】
上記リストをディスプレイに表示するリスト表示手段をさらに備えていることを特徴とする請求項２〜５のいずれか１項に記載の放送受信装置。
【請求項７】
上記記憶部に保存されている上記ポイントを外部に出力する出力部をさらに備えていることを特徴とする請求項１〜３に記載の放送受信装置。
【請求項８】
放送波を受信する放送受信装置におけるポイント取得方法であって、
上記放送波から、ユーザが選局したチャンネルにおいて放送中の番組を抽出する番組抽出ステップと、
上記抽出された番組が、予め定められた特典と交換可能なポイントの取得対象であるか否かを判定するポイント取得判定ステップと、
上記抽出された番組が上記ポイントの取得対象であると判定された場合、当該ポイントを記憶部に保存するポイント保存ステップとを備えていることを特徴とするポイント取得方法。
【請求項９】
請求項１から７のいずれか１項に記載の放送受信装置を動作させるプログラムであって、コンピュータを上記の各手段として機能させるためのプログラム。
【請求項１０】
請求項９に記載のプログラムを記録しているコンピュータ読み取り可能な記録媒体。
【発明の詳細な説明】
【技術分野】
【０００１】
本発明は、ユーザが視聴することによってポイントが貯まる放送受信装置、およびそのポイントの提供方法、ならびに放送受信装置のプログラム、およびコンピューター読み取り可能な記録媒体に関する。
【背景技術】
【０００２】
従来から、顧客の購買意欲を増すために、購入商品以外の特典を提供することが行われている。このような商品購入による特典の実施方法としては、販売店が発行するポイントカードを使用する方法が主流である。この方法では、商品購入額に応じたポイントがポイントカードに蓄積される。そして、ポイントサービスの利用者からポイントカードを提示された販売店は、蓄積されたポイント数に応じて特典を提供する。
【０００３】
このようなポイントサービスは、商品購入時以外にも、アンケートへの回答者への回答の謝礼として適用する場合もある。アンケートの回答者にポイントを付与することによって、回答者の意欲を高めると共に、回答者の数をより増やすことができる。
【０００４】
例えば、特許文献１には、視聴者がテレビ番組等のメディア番組を視聴した履歴を提供すると、視聴者にポイントを付与する情報提供端末が開示されている。具体的には、個人がメディア番組を視聴した結果（履歴）として個人別興味情報を当該情報提供端末が記憶する。その個人別興味情報を視聴者が情報サービスシステムに送信することによって、当該情報サービスシステムから個人別興味情報に見合ったポイントが視聴者（情報提供端末）に付与される。これによれば、複数の視聴者の個人別興味情報を集計することによって、多くの視聴者が視聴しているメディア番組、またはそのジャンル等を割り出すことができる。集計した個人別興味情報はマーケティング情報として利用価値が高いので、例えば、販売店等が個人に各種サービスを行うに際しての貴重なデータになる。さらに、ポイントを付与することによって、個人別興味情報を提供する視聴者をより増やすことができる。
【先行技術文献】
【特許文献】
【０００５】
【特許文献１】特開２００２−２６９４５７号公報（２００２年９月２０日公開）
【発明の概要】
【発明が解決しようとする課題】
【０００６】
ここで、近年ではパーソナルコンピュータ（ＰＣ）による動画サイトの成長、ポータブルゲームまたは携帯電話の使用頻度の増加等により、個人のテレビ番組の視聴頻度が低下しつつある。これには、テレビ番組の視聴に費やす時間がなくなりつつあるという理由が挙げられるが、他にも、テレビ番組自体の魅力が薄れ、視聴者がテレビ番組を視聴する意欲が低下しているという理由が挙げられる。このような状況下では、テレビジョン受像機等の販売台数の減少、またはテレビ番組の視聴率の低下等が起こり、テレビ放送システムへの大きな影響が危惧される。
【０００７】
そこで、テレビ番組等のメディア番組に対する視聴者の視聴意欲を上げるための工夫が求められる。特許文献１に開示されている情報提供端末を活用できるように思われるが、当該情報提供端末は、個人が視聴したテレビ番組の履歴（個人別興味情報）に対してポイントが付与される。したがって、個人別興味情報を情報サービスシステムに送信する視聴者をより増やすことはできるが、メディア番組に対する視聴意欲は上げ難い。
【０００８】
また、本文献に開示されている情報提供端末および情報サービスシステムは、全体的なシステムが複雑であるため、汎用的に用いることが難しい。そもそも本文献に開示されている情報提供端末は、視聴者のテレビ番組の視聴履歴を取得することを目的としている。
【０００９】
そこで、本発明は上記課題に鑑みてなされたものであり、その目的は、視聴者個人の番組に対する視聴意欲を上げるような放送受信装置、およびそのポイントの提供方法、ならびに放送受信装置のプログラム、およびコンピューター読み取り可能な記録媒体を提供することにある。
【課題を解決するための手段】
【００１０】
本発明に係る放送受信装置は、上記課題を解決するために、放送波を受信する放送受信装置であって、上記放送波から、ユーザが選局したチャンネルにおいて放送中の番組を抽出する番組抽出手段と、上記抽出された番組が、予め定められた特典と交換可能なポイントの取得対象であるか否かを判定するポイント取得判定手段と、上記抽出された番組が上記ポイントの取得対象であると判定された場合、当該ポイントを記憶部に保存するポイント保存手段とを備えていることを特徴としている。
【００１１】
上記構成によれば、本発明に係る放送受信装置では、ユーザが選局したチャンネルにおいて放送中の番組を番組抽出手段が抽出し、当該番組がポイントの取得対象であるか否かをポイント取得判定手段が判定する。ポイント取得判定手段は、ユーザが視聴している番組がポイントの取得対象であると判定すると、当該ポイントはポイント保存手段によって記憶部に保存される。
【００１２】
このようにして、ユーザがポイントの取得対象の番組を視聴した場合には、ポイントが与えられ、記憶部に保存される。したがって、ユーザは、ポイント取得対象の番組を視聴するごとに、ポイントを貯めることができる。そして、記憶部に貯められたポイントと引き換えに、ユーザは特典を受けることができる。これによれば、ユーザはポイント取得対象の番組を視聴することによって特典を受けることができるので、ポイント取得対象番組を視聴しようというユーザの視聴意欲、およびその視聴者数の増加をより高めることができる。その結果、ユーザが番組を視聴する頻度の向上につながり、テレビジョン受像機等の販売台数の減少、またはテレビ番組の視聴率の低下等の問題を解消することができる。
【００１３】
また、本発明に係る放送受信装置においては、上記抽出された番組に関する番組情報を取得する番組情報取得手段と、上記放送波から抽出可能な番組ごとに、当該番組に関する番組情報と、当該番組に応じた上記ポイントとを互いに関連付けて記録したリストを保持するリスト保存部とをさらに備え、上記ポイント取得判定手段は、上記抽出された番組に関する上記番組情報が、上記リストに含まれている場合に、当該番組が上記ポイントの取得対象であると判定し、上記ポイント保存手段は、上記抽出された番組が上記ポイントの取得対象であると判定された場合、上記リストに記録された、当該番組に応じた上記ポイントを上記記憶部に保存することを特徴としている。
【００１４】
上記構成によれば、ポイント取得対象の番組に関する番組情報と、当該番組に応じたポイントとを互いに関連付けて記録したリストをリスト保存部が保持している。ポイント取得判定手段は、番組情報取得手段が取得したユーザが視聴している番組に関する情報が、当該リストに含まれている場合に、当該番組はポイント取得対象であると判定する。さらに、ポイント取得判定手段が、ユーザが視聴している番組がポイント取得対象であると判定すると、記憶部にはリストに記録された、当該番組に応じたポイントが保存される。
【００１５】
これによれば、リストにはポイント取得対象の番組に関する情報と、当該番組に応じたポイントが関連付けて記録されている。そのため、ポイント取得判定手段は当該リストを参照することによって、ユーザが視聴している番組がポイント取得対象であるか判定することができる。さらに、番組に応じたポイントを決定付けることができる。
【００１６】
また、本発明に係る放送受信装置においては、上記リストには、上記放送波から抽出可能な上記番組ごとに、当該番組に関する上記番組情報に所定の基準時間が関連付けて記録されており、上記番組が抽出されてからの経過時間を測定する測定手段をさらに備え、上記ポイント保存手段は、上記測定された経過時間が、上記抽出された番組に関する番組情報に関連付けて上記リストに記憶されている上記基準時間に達した場合に、上記番組が上記ポイントの取得対象であると判定することを特徴としている。
【００１７】
上記構成によれば、リストには、ポイント取得対象の番組ごとに、当該番組に応じた所定の基準時間が関連つけられて記録されている。そして、ユーザがポイント取得対象の番組を視聴した時間が、当該番組に応じた所定の基準時間を上回った時点で当該番組に応じたポイントが記憶部に保存される。したがって、ユーザがポイント取得対象の番組を所定の基準時間よりも長く視聴しないとポイントが付与されない。すなわち、ユーザが視聴している番組を短時間に頻繁に変更する場合には、ポイントが付与されない。これによれば、ユーザがポイント取得対象の番組をある程度の時間は視聴した場合を考慮してポイントを付与することができる。
【００１８】
また、本発明に係る放送受信装置においては、上記番組をディスプレイに表示する表示手段をさらに備えており、上記ポイント取得判定手段は、上記抽出された番組が上記ディスプレイに表示された場合、当該番組が上記ポイントの取得対象であると判定することを特徴としている。
【００１９】
上記構成によれば、ポイント取得対象の番組が放送受信装置のディスプレイに表示された時点で当該番組に応じたポイントが記憶部に保存される。ディスプレイにポイント取得対象番組が表示されている時には、ユーザが当該番組を視聴している可能性が高い。したがって、ディスプレイにポイント取得対象番組が表示された時点でポイントを付与すれば、ユーザに番組を視聴する意思がある場合のポイント付与の精度をより高めることができる。
【００２０】
また、本発明に係る放送受信装置においては、上記ポイント取得判定手段によって、上記抽出された番組が上記ポイントの取得対象であると判定された場合、上記表示手段は、当該番組と共に、当該番組が上記ポイントの取得対象であることを示す情報を上記ディスプレイに表示することを特徴としている。
【００２１】
上記構成によれば、現在ユーザが視聴している番組がポイント取得対象であるのかがより判別しやすくなる。また、このように、現在ユーザが視聴している番組がポイント取得対象である旨が事前に明示されていると、当該番組を視聴しようというユーザの視聴意欲を高めることができる。
【００２２】
また、本発明に係る放送受信装置においては、上記リストをディスプレイに表示するリスト表示手段をさらに備えていることを特徴としている。
【００２３】
上記構成によれば、ポイント取得対象の番組ごとに、当該番組に関する番組情報等が記録されたリストをユーザに表示することができる。したがって、ユーザは、どの番組がポイント取得対象であるかを事前に知ることができる。これによって、ポイント取得対象の番組を視聴しようというユーザの視聴意欲をより高めることができる。
【００２４】
また、本発明に係る放送受信装置においては、上記記憶部に保存されている上記ポイントを外部に出力する出力部をさらに備えていることを特徴としている。
【００２５】
上記構成によれば、記憶部に貯められたポイントを出力部が外部に出力することによって、貯まったポイントに応じた特典が受けられるような構成にすることができる。
【００２６】
また、本発明に係る放送受信装置のポイント取得方法においては、上記課題を解決するために、放送波を受信する放送受信装置におけるポイント取得方法であって、上記放送波から、ユーザが選局したチャンネルにおいて放送中の番組を抽出する番組抽出ステップと、上記抽出された番組が、予め定められた特典と交換可能なポイントの取得対象であるか否かを判定するポイント取得判定ステップと、上記抽出された番組が上記ポイントの取得対象であると判定された場合、当該ポイントを記憶部に保存するポイント保存ステップとを備えていることを特徴としている。
【００２７】
上記方法によれば、ユーザがポイントの取得対象の番組を視聴すると、当該ポイントを貯めることができる。これによって、ユーザがポイントの取得対象の番組を視聴しようという意欲をより高めることができる。
【００２８】
なお、上述した放送受信装置は、コンピュータによって実現してもよく、この場合には、コンピュータを上記各部として動作させることにより上記コンテンツ再生装置をコンピュータにて実現させるプログラム、およびそれを記録したコンピュータ読み取り可能な記録媒体も、本発明の範疇に入る。
【発明の効果】
【００２９】
本発明に係る放送受信装置によれば、ユーザがポイント取得対象番組を視聴することによって、ポイントが付与される。ユーザは、視聴ポイントを貯めることによって、そのポイント数に応じた特典を受けることができる。これによれば、ポイント取得対象番組を視聴しようというユーザの視聴意欲、およびその視聴者数の増加をより高めることができる。その結果、ユーザが番組を視聴する頻度の向上につながり、テレビジョン受像機等の販売台数の減少、またはテレビ番組の視聴率の低下等の問題を解消することができる。
【図面の簡単な説明】
【００３０】
【図１】本発明の一実施形態に係るポイント管理部の内部構成を示すブロック図である。
【図２】本発明の一実施形態に係るテレビジョン受像機の内部構成を示すブロック図である。
【図３】本発明の一実施形態に係るポイント取得番組リストの一表示例を示す図である。
【図４】ユーザが番組を視聴してポイントを取得する工程を示すフローチャートである。
【発明を実施するための形態】
【００３１】
本実施形態に係る放送受信装置として、テレビジョン受像機（以下、ＴＶ受像機という）、またはテレビジョン機能付きパーソナルコンピュータ等を採用することができる。以下では、本実施形態に係る放送受信装置としてＴＶ受像機を採用した場合の例を説明する。
【００３２】
（ＴＶ受像機１０の詳細な内部構成）
まず、ＴＶ受像機１０の詳細な内部構成について、図２を参照して説明する。図２は、本発明の一実施形態に係るＴＶ受像機１０の詳細な内部構成を示すブロック図である。
【００３３】
図２に示すように、ＴＶ受像機１０は、バスに接続されたＣＰＵ（Central Processing Unit）６およびメモリ７を有しており、当該ＴＶ受像機１０の動作は、ＣＰＵ６およびメモリ７に記憶された各種の制御プログラムにより制御される。すなわち、ＴＶ受像機１０では、ＣＰＵ６を含むコンピュータ・システムによって制御されており、ＴＶ受像機１０をコンピュータ・システムによって動作させるためのプログラムはメモリ７に記憶されている。
【００３４】
メモリ７は、通常ＲＡＭ（Random Access Memory）によって構成されるが、一部にＲＯＭ（Read Only Memory）を含んでいても良い。また、書き換え可能なフラッシュメモリ等を含んでいても良い。当該メモリ７には、ＣＰＵ６を動作させるためのＯＳ（Operating System）または各種の制御ソフト等が記憶され、放送波を介して受信した電子番組表（ＥＰＧ；Electronic Program Guide）データ等の番組情報に関するデータ、ＯＳＤ（On Screen Display）表示を行う際に必要となるＯＳＤ用画像データ等が記憶されている。また、メモリ７は、各種制御動作に必要なワークメモリとして働くワーク領域を有している。
【００３５】
ＴＶ受像機１０には、デジタルチューナ部１４と共に、アナログチューナ部１２が設けられており、アナログ放送も受信可能とされている。また、外部入力部３１には、ハードディスクドライブ（ＨＤＤ）、またはＳＤカード等の固体メモリ、ブルーレイディスク（ＢＤ）、ＤＶＤ（Digital Versatile Disc）、またはコンパクトディスク（ＣＤ）等のディスク装置等、種々の外部機器３０が接続可能とされている。さらに、ＴＶ受像機１０にはＩＰ（Internet Protocol）放送チューナ部２３が備えられており、ＩＰ放送の受信も可能とされている。
【００３６】
テレビ受像機１０は、上記部材以外にも、ＡＶスイッチ部１３、デジタル復調部１５、分離部（ＤＥＭＵＸ；DeMultiplexer）１６、ビデオデコード／キャプチャ部１７、ビデオセレクタ部１８、映像処理部１９、加算回路２０、表示制御部２１、表示装置２２、ＥＰＧ／ＯＳＤ／予約処理部２４、オーディオデコード部２５、オーディオセレクタ部２６、音声出力変換部２７、スピーカ２８、選局部３３、通信制御部３４、およびリモコン受光部３５を有している。
【００３７】
アナログチューナ部１２は、アナログ放送受信用のアンテナ１１を介して受信するアナログテレビ放送信号を選局するもので、選局部３３からの選局指示に応じて受信するチャンネルの選局を行う。当該アナログチューナ部１２からの受信信号は、ＡＶスイッチ部１３において、音声信号と映像信号とに分離され、映像信号はビデオセレクタ部１８に入力され、音声信号はオーディオセレクタ部２６に入力される。
【００３８】
デジタルチューナ部１４は、デジタル放送受信用アンテナ４０を介して受信するデジタルテレビ放送信号を選局するもので、選局部３３からの選局指示に応じて受信するチャンネルの選局を行う。当該デジタルチューナ部１４からの受信信号は、デジタル復調部１５にて復調され、分離部（ＤＥＭＵＸ）１６に送られる。
【００３９】
ＩＰ放送チューナ部２３は、電話回線・ＬＡＮ（Local Area Network）等に接続された通信制御部３４を介して受信するＩＰ放送信号を選局するもので、選局部３３からの選局指示に応じて受信する特定のＩＰ放送の選局を行う。当該ＩＰ放送チューナ部２３からの受信信号は、分離部（ＤＥＭＵＸ）１６に出力される。
【００４０】
分離部（ＤＥＭＵＸ）１６は、デジタル復調部１５またはＩＰ放送チューナ部２３から入力された多重化された映像データ、および音声データを分離する。分離した映像データをビデオデコード／キャプチャ部１７に送り、音声データをオーディオデコード部２５に送る。さらに、分離部（ＤＥＭＵＸ）１６は、放送信号に含まれるＥＰＧデータ等のデータを抽出し、ＥＰＧ／ＯＳＤ／予約処理部２４に送る。なお、分離部（ＤＥＭＵＸ）１６によって抽出された放送信号は、必要に応じてＣＰＵ６による書き込み制御によりメモリ７に記録される。
【００４１】
ビデオデコード／キャプチャ部１７は、分離部（ＤＥＭＵＸ）１６によって分離された映像データをデコードしたり、映像データに含まれるビデオ情報を静止画としてキャプチャしたりする。当該ビデオデコード／キャプチャ部１７によってデコードされた映像信号は、ビデオセレクタ部１８に送られる。ビデオセレクタ部１８には、既に説明したとおり、アナログチューナ部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００４２】
映像処理部１９では、入力された映像信号に対して、例えば、ノイズリダクションの処理、シャープネスの調整、またはコントラストの調整等の映像処理を行い、表示装置２２に対して最適な映像信号となるように映像データを変換する。
【００４３】
表示制御部２１は、受信した映像データを表示装置２２に表示させるための駆動回路を含む部分である。当該表示制御部２１は、加算回路２０によって加算された、ＥＰＧ／ＯＳＤ／予約処理部２４からのＥＰＧデータ、またはＯＳＤデータを映像処理部１９からの映像データに加えて表示装置２２に送る。表示装置２２では、送られてきた映像データを画面上に表示する。
【００４４】
ＥＰＧ／ＯＳＤ／予約処理部２４は、定期的に更新保存されたＥＰＧデータに基づき電子番組表を作成し、また、メモリ７に予め保存されているＯＳＤデータを描画する。当該ＯＳＤデータとは、例えば、予めメモリ７に記憶された設定メニュー画面、音量ケージ、現在時刻、または選局チャンネル等の各種情報を描画するためのデータである。また、ＥＰＧ／ＯＳＤ／予約処理部２４は、電子番組表を利用して番組の予約処理等を行う。
【００４５】
通信制御部３４は、電話回線、ＬＡＮ、インターネット、またはＤＬＮＡ（Digital Living Network Alliance）等のホームネットワーク規格等のネットワーク網を介して通信を確立させるように制御を行う。ネットワークを通じて他の機器と接続しても、インターネットを通じて映像サービスと接続しても良い。また、外部機器との接続は、有線または無線のどちらでも良い。
【００４６】
オーディオデコード部２５は、分離部（ＤＥＭＵＸ）１６によって分離された音声データをデコードするものである。当該オーディオデコード部２５は、デコードした音声信号をオーディオセレクタ部２６に送る。
【００４７】
オーディオセレクタ部２６では、ＡＶスイッチ部１３からの音声信号、外部入力部３１からの音声信号、およびオーディオデコード部２５からの音声信号を受け、ＣＰＵ６からの制御によってビデオセレクタ部１８で選択された映像信号に対応した音声信号を選択する。選択した音声信号を、音声出力変換部２７を介してスピーカ２８に送る。音声出力変換部２７は、受信した音声信号をスピーカ２８での再生に最適な信号に変換して当該スピーカ２８に供給する。
【００４８】
リモコン受光部３５は、リモートコントローラ３６（以下リモコン３６という）からの光信号を受信して、当該リモコン３６からの制御信号を受け付けるためのものである。後から説明する電源をオフにしたときの起動モードの選択と決定、ＴＶ受像機１０の電源のオン／オフ等、視聴者からの指示は、このリモコン３６を介して行われる。
【００４９】
時間管理部４２は、現在時刻のデータを取得し、時刻の管理を行う。例えば、現在時刻のデータは、放送波を介して放送信号として受信したり、通信制御部からネットワークを通じて取得したりすることができる。
【００５０】
ＣＰＵ６、メモリ７、分離部（ＤＥＭＵＸ）１６、ビデオコード／キャプチャ部１７、ＩＰ放送チューナ部２３、ＥＰＧ／ＯＳＤ／予約処理部２４、オーディオデコード部２５、選局部３３、通信制御部３４、リモコン受光部３５、ポイント管理部４１、および時間管理部４２はバス８を介して接続されている。
【００５１】
なお、本実施形態に係るＴＶ受像機１０では、ポイント管理部４１を備えていることを特徴としている。詳しくは後ほど説明するが、本実施形態に係るＴＶ受像機１０では、ユーザがテレビ番組を視聴することによって、予め定められた特典と交換可能な視聴ポイントが貯まる構成になっている。ユーザは、貯めたポイントを利用して特典を得ることができる。ポイント管理部４１では、ユーザに対するポイントの付与、およびポイントの表示等、ポイントの管理をしている。
【００５２】
（ポイント管理部４１の構成）
以下では、ポイント管理部４１の詳しい構成について、図１を参照して説明する。図１は、ポイント管理部４１の内部構成を示すブロック図である。
【００５３】
図１に示すように、ポイント管理部４１は、リスト取得部４３、リスト更新部４４、リスト保存部４５、視聴情報管理部（番組抽出手段，番組情報取得手段）４６、視聴状態判定部（ポイント取得判定手段）４７、ポイント更新部（ポイント保存手段）４８、ポイント保存部（記憶部）４９、およびポイント出力部（出力部）５０を備えている。
【００５４】
リスト取得部４３では、ユーザが視聴することによってポイントが得られる番組の情報（以下、ポイント取得番組リストという）を、ＴＶ受像機１０の外部から取得する。ポイント取得番組リストの一例を図３に示す。図３に示すように、ポイント取得番組リストには、ポイント取得対象の番組が記録されており、それぞれの詳しい情報（番組名、放送開始日および終了日、放送開始時間および終了時間、およびポイント数等）を互いに関連付けて掲載する。例えば、取得したポイントに有効期限（使用可能な期限）を設ける場合には、その情報も掲載することができる。ポイント取得番組リストは、例えば、放送信号として受信しても良いし、通信制御部３４からネットワークを通じて取得しても良い。なお、リスト取得部４３は、定期的にポイント取得番組リストを取得するように構成されていることが好ましい。
【００５５】
リスト更新部４４では、リスト取得部４３が取得したポイント取得番組リストをリスト保存部４５に出力する。当該リスト保存部４５では、リスト更新部４４から入力されたポイント取得番組リストを保持する。なお、リスト更新部４４では、時間管理部４２からの現在時刻のデータに基づいて、リスト保存部４５が保持するポイント取得番組リストを更新する。具体的には、現在時刻データを基に、放送終了時間を過ぎた番組等をポイント取得番組リストから削除する。また、後ほど詳しく説明するが、視聴状態判定部４７では、現在ユーザが視聴している番組がポイント取得対象の番組であるか否かを判定する。当該視聴状態判定部４７が、現在ユーザが視聴している番組がポイント取得対象の番組であると判定した場合には、その情報がリスト更新部４４に出力される。リスト更新部４４では、視聴状態判定部４７からの情報に基づいて、ユーザがポイントを取得した番組を、リスト保存部４５が保持するポイント取得番組リストから削除する。
【００５６】
なお、リスト保存部４５が保持するポイント取得番組リストは視聴状態判定部４７に出力される。ここで、当該取得番組リストを表示装置（ディスプレイ）２２に表示するリスト表示手段をさらに設ける構成にしても良い。これによって、ユーザは、ポイント取得番組リストを閲覧してポイント取得対象の番組の情報を知ることができる。なお、ユーザがポイント取得番組リストを閲覧する際に、当該ポイント取得番組リストに掲示される番組と、掲示されない番組とがあっても良い。すなわち、ポイント取得番組リストに含まれる番組のうち、ポイント取得対象であることをユーザに公開する番組、および公開しない番組があっても良い。例えば、ポイント取得番組リスト、あるいは一部のポイント取得対象番組の情報をユーザに意図的に非公開にするように設定することも可能である。この場合には、ポイント取得番組リスト、あるいは非公開の番組の情報はユーザが閲覧できないように構成する。
【００５７】
視聴情報管理部４６では、現在ユーザが視聴している番組の情報を取得する。具体的には、選局部３３からユーザが現在選局しているチャンネル番号の情報（選局情報）を取得し、放送波を介してＥＰＧデータを取得する。時間管理部４２からの現在時刻のデータに基づいて、ユーザが現在選局しているチャンネルで現在放送中のテレビ番組の情報（番組名、放送開始日時および終了日時等）をＥＰＧデータから抽出する。
【００５８】
視聴状態判定部４７では、視聴情報管理部４６からの番組情報と、リスト保存部４５に保持されているポイント取得番組リストとを照らし合わせて、現在ユーザが視聴している番組がポイント取得対象の番組であるか否かを判定する。具体的には、ポイント取得番組リストの中に、現在ユーザが視聴している番組と一致するものがあるかを判定する。一致するものがあると、視聴状態判定部４７では、時間管理部４２からの現在時刻のデータに基づいて、当該一致した番組の放送開始日時および終了日時の間に現在時刻が含まれているか判定する。現在時刻が含まれていれば現在ユーザが視聴している番組はポイント取得対象であると判定される。ユーザが視聴している番組が、ポイント取得対象の番組であると判定されると、当該番組の情報はユーザがポイントを取得した番組の情報としてリスト更新部４４およびポイント更新部４８に出力される。
【００５９】
ポイント更新部４８では、視聴状態判定部４７からの情報に基づいて、ユーザがポイントを取得した番組の情報をポイント保存部４９に出力する。当該ポイント保存部４９は、ポイント更新部４８から得た情報を保持する。なお、ポイント保存部４９は、過去にユーザがポイントを取得した番組の情報（以下、ポイント取得履歴という）も記憶している。ポイント取得履歴には、ユーザがポイントを取得した番組が記録されており、それぞれの詳しい情報（番組名、ポイント数、およびポイントの有効期限等）を掲載する。例えば、図３に示したポイント取得番組リストをそのまま適用することもできる。
【００６０】
ポイント出力部５０は、ポイント保存部４９が保持するポイント取得履歴を取得する。ポイント出力部５０では、取得したポイント取得履歴を表示装置２２に表示する構成にすることが好ましい。これによって、ユーザは、ポイント取得履歴を閲覧し、自身が取得したポイント数、およびポイントの有効期限等を知ることができる。
【００６１】
ユーザは、貯まったポイントを外部に出力したり、その場で使用したりすることができる。このような操作は、例えば、リモコン３６を介して行うことができる。リモコン３６を介してユーザからポイントを外部に出力する、または使用する指示がなされた場合には、その制御信号はリモコン受光部３５を介してＣＰＵ６に送られる。ＣＰＵ６では、リモコン３６からの制御信号に基づいて処理を行う。例えば、貯まったポイントはネットワークを通じて外部に出力したり、その場で使用したりすることができる。ネットワークとしてインターネットを使用する場合には、ＣＰＵ６がリモコン３６からの制御信号を受けると、ポイント出力部５０では、通信制御部３４を介し、インターネットを通じてポイント取得履歴を外部（インターネットサイト等）に出力する。ここで、当該インターネットサイト等をＴＶ受像機１０に表示し、その場でポイントを利用することができる構成にしても良い。この場合には、ユーザはポイントを利用して、インターネットサイト等でＴＶ受像機１０の機能をアップグレードしたり、限定のＯＳＤデザインまたはコンテンツ等をダウンロードしたりすることができる。このように、自身が所有するＴＶ受像機１０をカスタマイズする等して他者との差別化を図ることができる。また、そのようなＯＳＤデザインまたはコンテンツ等をコレクションとして収集する楽しみが味わえる。
【００６２】
また、ネットワークとしてＤＬＮＡ等のホームネットワーク規格を使用する場合には、ＣＰＵ６がリモコン３６からの制御信号を受けると、ポイント出力部５０では、通信制御部３４を介し、ホームネットワーク規格を通じてポイント取得履歴を外部機器に出力することができる。
【００６３】
なお、ネットワークを通じずに貯まったポイントを外部に出力する場合には、例えば、外部入力部３１を介して、外部機器３０をＴＶ受像機１０に接続し、当該外部機器３０にポイントを直接出力する構成でも良い。具体的には、外部機器３０としてＨＤＤまたはＳＤカード等の記録媒体にユーザのポイント取得履歴のデータを出力する構成にする。この際、上記記録媒体に出力されたポイント取得履歴のデータが改ざんされないために、当該記録媒体に暗号化処理等を施しておくことが好ましい。そして、ポイント取得履歴のデータが入力された記録媒体を、ネットワーク接続可能なＰＣ等に接続し、ネットワークを通じてインターネットサイト等に送信する。当該インターネットサイトにおいて、ユーザが貯めたポイントを表示したり、ポイントを使用したりすることができる構成にすると良い。このように、ＴＶ受像機１０がネットワーク機能を有していない場合には、外部機器３０を利用してネットワーク接続可能なＰＣ等で取得したポイントを管理することができる。
【００６４】
なお、ユーザのポイント取得履歴のデータが入力された記録媒体を、ポイントを管理する企業等に直接郵送する場合にも対応することができる。
【００６５】
ユーザが貯めたポイントを外部に出力、または使用すると、出力または使用されたポイント数等のポイントの情報はＣＰＵ６を介してポイント更新部４８に出力される。ポイント更新部４８では、ＣＰＵ６からの情報に基づいて、出力または使用されたポイントを当該ポイント取得履歴から削除する。さらに、ポイント更新部４８は、時間管理部４２からの現在時刻データを基に、ポイント取得履歴に含まれるポイントのうち、有効期限切れになったポイントを削除する。このようにして、ポイント更新部４８は、ポイント保存部４９が保持するポイント取得履歴を更新する。なお、ポイント更新部４８によるポイント取得履歴の更新は、定期的に行われることが好ましい。
【００６６】
（ポイント取得方法）
以下では、ユーザが番組を視聴してポイントを取得する工程について、図４を参照して説明する。図４は、ユーザが番組を視聴してポイントを取得する工程を示すフローチャートである。
【００６７】
まず、ユーザが番組の視聴を開始すると（ステップＳ１）、現在ユーザが視聴している番組の情報を視聴情報管理部４６が取得する（ステップＳ２）。具体的な取得方法は、上述したとおりである。その後、現在ユーザが視聴している番組の情報は、視聴状態判定部４７に出力される。また、視聴状態判定部４７は、時間管理部４２から現在時刻のデータを取得し（ステップＳ３）、現在ユーザが視聴している番組がポイント取得対象の番組であるか否かを判定する（ステップＳ４）。
【００６８】
具体的な判定方法について説明する。まず、視聴状態判定部４７は、リスト保存部４５からポイント取得番組リストを取得し、当該ポイント取得番組リストの中から１項目（１つの番組）を取り出す。取り出した項目の番組名、およびチャンネル番号等が、現在ユーザが視聴している番組の情報と一致するか否かを判定する。取り出した項目と、現在ユーザが視聴している番組と一致しなかった場合には、ポイント取得番組リスト中から新たな１項目を取り出し、再び現在ユーザが視聴している番組と一致するか否かを判定する。
【００６９】
ここで、取り出した項目と、現在ユーザが視聴している番組とが一致した場合には、時間管理部４２から取得した現在時刻のデータに基づいて、一致した項目の開始日時および終了日時の間に現在時刻が含まれているか否かを判定する。現在時刻が含まれていない場合には、ポイント取得番組リスト中から新たな１項目を取り出し、再び現在ユーザが視聴している番組と一致するか否かを判定する。ここで、現在時刻が含まれている場合には、現在ユーザが視聴している番組は、ポイント取得対象の番組であると判定する。
【００７０】
ポイント取得対象の番組であると判定されると（ステップＳ４のＹＥＳ）、ポイントが付与される（ステップＳ５）。具体的には、ポイント取得対象であると判定された番組の情報がポイント更新部４８およびリスト更新部４４に出力される。ポイント更新部４８では、視聴状態判定部４７からの情報に基づいて、ポイント取得対象であると判定された番組の情報を、ポイントを取得した番組の情報としてポイント保存部４９に出力する。一方、リスト更新部４４では、視聴状態判定部４７からの情報に基づいて、ユーザがポイントを取得した番組を、リスト保存部４５に保存されているポイント取得番組リストから削除し、ポイント取得番組リストを更新する（ステップＳ６）。これによって、ユーザがポイントを取得した番組を視聴している間に、再びステップＳ１〜Ｓ４を行った場合に、同じ番組に対してポイントが重複して付与されるのを防ぐことができる。この際、図３に示したポイント取得リストの項目Ｎｏ．３のように、毎週決まった曜日に放送される番組の場合は、当該番組を視聴してもポイント取得リストから当該番組を削除しないようにする。
【００７１】
なお、その後ユーザが引き続きチャンネルを変更し（ステップＳ７のＹＥＳ）、新たな番組の視聴を開始した場合には、再びステップＳ１〜Ｓ４を行い、当該番組がポイント対象番組であるか否かを判定する。
【００７２】
ここで、現在ユーザが視聴している番組と一致する項目がポイント取得番組リスト中に含まれていなかった場合には（ステップＳ４のＮＯ）、ポイントは付与されない。この際、ユーザがチャンネルを変更し（ステップＳ７のＹＥＳ）、新たな番組の視聴を開始した場合には、再びステップＳ１〜Ｓ４を行い、当該番組がポイント対象番組であるか否かを判定する。チャンネルを変更しなかった場合には（ステップＳ７のＮＯ）、ポイントが付与されないままユーザは番組の視聴を継続する。
【００７３】
上記のステップＳ１〜Ｓ４の作業、すなわち現在ユーザが視聴している番組がポイント取得対象であるか否かを判定する作業は、定期的に行うことが好ましい。さらに、ユーザがチャンネルを変更した場合、または視聴している番組が終了した場合には、ステップ１〜Ｓ４の作業を行うように構成すると良い。
【００７４】
このようにして、ユーザがポイント取得対象番組を視聴することによって、ポイントが付与される。ユーザは、視聴ポイントを貯めることによって、そのポイント数に応じた特典を受けることができる。これによれば、ポイント取得対象番組を視聴しようというユーザの視聴意欲、およびその視聴者数の増加をより高めることができる。その結果、ユーザが番組を視聴する頻度の向上につながり、ＴＶ受像機等の販売台数の減少、またはテレビ番組の視聴率の低下等の問題を解消することができる。
【００７５】
なお、上述した構成では、ユーザがポイント取得対象番組を録画する場合も、当該番組を録画するために選局処理が行われ、かつ録画中は選局状態が継続することから、上述したようなポイント取得方法を適用することができる。
ここで、表示装置２２に当該番組が表示された時点でポイントを付与する構成にしても良い。これによれば、ユーザがポイント取得対象番組を録画した場合でも、表示装置２２に当該番組が表示されないと、ポイントは加算されない。表示装置２２にポイント取得対象番組が表示されている時には、ユーザが当該番組を視聴している可能性が高い。したがって、表示装置２２にポイント取得対象番組が表示された時点でポイントを付与すれば、ユーザに番組を視聴する意思がある場合のポイント付与の精度をより高めることができる。
【００７６】
（ポイント取得方法の変形例１）
以上では、ポイント取得対象の番組を一度でも視聴した場合にはポイントを付与する例を示した。この場合では、ユーザが頻繁にチャンネルを変更し、ザッピング視聴等をした場合でも、ポイント取得対象の番組であればポイントが付与されてしまう。したがって、ユーザに番組を視聴する意思がない場合でもポイントが付与されてしまう。
【００７７】
そこで、上述したような問題を避けるために、ポイント取得対象の番組を予め定められた時間（所定の基準時間）以上視聴した場合にポイントを付与する構成にしても良い。予め定められた時間は、例えば、ポイント取得対象番組の放送時間の予め定めた割合に相当する時間にすることが可能である。例えば、放送時間の５０％以上の時間視聴したときにポイントを付与する場合には、図３のポイント取得番組リストにおける項目Ｎｏ．１では、放送時間（開始時間から終了時間までの間の時間）は５４分なので、項目Ｎｏ．１の番組を２７分以上視聴した場合にはポイントが付与されることになる。これによれば、ユーザが頻繁にチャンネルを変更した場合にはポイントは付与されず、ユーザが番組を長時間視聴した場合にポイントが付与される。すなわち、ユーザに番組を視聴する意思がある場合にポイントを付与することができる。
【００７８】
あるいは、ポイント取得対象番組ごとに、当該番組に応じた所定の基準時間を設定しても良い。この場合には、各ポイント取得対象番組に応じた所定の基準時間を、ポイント取得番組リストに併せて記録する構成が好ましい。これによれば、ポイント取得番組リストに記録されている所定の基準時間に基づいて、ユーザがポイント取得対象番組を当該所定の基準時間以上視聴した場合にポイントを付与すれば良い。
【００７９】
ここで、ユーザがポイント取得対象番組を連続して（チャンネルを変えずに）視聴した時間を測定し、その時間が予め定められた時間（所定の基準時間）以上になった場合にポイントを付与するような構成にしても良い。あるいは、ユーザが同じポイント取得対象番組を視聴する毎にその視聴時間を測定して記憶し、その累積時間が予め定められた時間以上になった場合にポイントを付与しても良い。これによれば、番組の間に挿入されるコマーシャルの時だけ別のチャンネルに変更しても、視聴した時間の累積が予め定められた時間以上であればポイントが付与される。なお、このように、ユーザがポイント取得対象番組を視聴した時間を測定する場合には、その経過時間を測定するタイマ（測定手段）等をＴＶ受像機１０に設ける必要がある。または、時間管理部４２にタイマ機能を付加しても良い。
【００８０】
さらに、ユーザがＴＶ受像機１０を視聴しているか否かを検知するセンサを当該ＴＶ受像機１０に設けても良い。当該センサとして、ユーザの存在を検知する人感センサ、またはカメラ等を用いることによって、ＴＶ受像機１０をユーザが視聴しているか否かを判断することができる。このようなセンサがユーザの存在を検知すると、上記したタイマが視聴時間の測定を開始するように構成すれば、ユーザが番組を視聴しているか否かを考慮してポイントを付与することができる。すなわち、ユーザがＴＶ受像機１０の電源をつけたまま（ポイント取得対象番組を選局した状態のまま）、席を外れる等して番組を視聴していない場合には、ポイントは付与されない。したがって、このようなセンサを設けることによって、ユーザに番組を視聴する意思がある場合のポイント付与の精度を、より高めることができる。
【００８１】
（ポイント取得方法の変形例２）
ユーザが観たい番組を視聴することができない場合には、当該番組を録画し、後から視聴するというスタイルが一般的である。このような場合においては、上述した表示装置２２に当該番組が表示された時点でポイントを付与する構成にすると、ポイントは加算されない。そこで、録画した番組をユーザが実際に再生して視聴しているか否かを上記のセンサによって検知し、タイマによってその視聴時間を測定するように構成すると良い。この場合には、図２に示したＴＶ受像機１０のように、番組を録画し、再生する機能（記録／再生部３２）を設ける必要がある。あるいは、ＴＶ受像機１０と記録再生装置とをリンクさせ、録画したポイント取得対象番組を記録再生装置で再生した場合に、ＴＶ受像機１０の上記のセンサとタイマとが機能するように構成すると良い。
【００８２】
以上によれば、ポイント取得対象番組が放送されている間に当該番組をユーザが見ることができなくても、その番組を録画して、後から再生した場合にポイントが付与される。したがって、ユーザが外出する等してポイント取得対象番組を視聴できない場合を考慮してポイントを付与することができる。
【００８３】
（ポイント取得番組リストの変形例）
図３に示したポイント取得番組リストでは、チャンネル番号順にポイント取得対象番組を列挙しているが、当該リストの構成は必ずしもこれに限定されるわけではない。例えば、放送局がユーザに視聴してほしい番組（おすすめ番組）をポイント取得対象にしたリストにしても良い。これによれば、放送局のおすすめ番組を視聴しようというユーザの視聴意欲の増加、およびその視聴者数の増加が期待できる。
【００８４】
また、ポイントを取得することができる対象は必ずしも番組である必要はなく、番組の間に挿入されるコマーシャル等でも良い。例えば、図３に示したポイント取得番組リストの項目Ｎｏ．２は、ポイント取得対象がコマーシャルである。このように、ポイント取得番組リストは、メーカーがコマーシャル提供をしている番組、あるいはメーカーのコマーシャルが放送される時間帯をポイント取得対象にしたリストでも良い。これによれば、番組視聴の意欲を高めるだけでなく、メーカーが提供するコマーシャルの視聴回数が増えるので、高い宣伝効果も期待できる。
【００８５】
または、オリンピック等のイベントを特集した番組をポイント取得対象にしたリストでも良い。このように、ポイント取得番組リストには、様々な構成が適用可能である。
【００８６】
（ポイント取得対象の表示）
ポイント取得番組リスト以外にも、どの番組がポイント取得対象の番組であるかが分かる方が、ユーザの番組視聴の意欲をより高めることができると考えられる。そこで、例えば、ＥＰＧデータを基に電子番組表を表示することができるＴＶ受像機１０の場合には、当該番組表中のポイント取得対象番組の欄には、ポイント取得対象番組であることを示すアイコン等を表示したり、色を変えて表示したりしても良い。このように、どの番組がポイント取得対象であるかが事前に明示されていると、ユーザの視聴意欲を高めることができる。
【００８７】
また、ポイント取得対象番組を視聴している際に、画面上に当該番組がポイント取得対象であることを表すアイコン等を表示したり、テロップを流したりすることも可能である。あるいは、番組を視聴している際に当該番組の情報（チャンネルコール、または番組の詳細内容等）を表示する機能がある場合には、それに併せて当該番組がポイント取得対象である旨を表示しても良い。
【００８８】
また、ユーザが選局した番組がポイント取得対象であると判定され（図４のステップＳ４のＹＥＳ）、ポイントが付与された時点（ステップＳ５）で画面上にポイントが付与されたことを示す表示をしても良い。なお、上述したようなポイント取得対象の番組を予め定められた時間以上視聴した場合にポイントを付与する構成にする場合には、ユーザの視聴時間が予め定められた時間を越えた時点でポイントが付与されたことを示す表示をしても良い。
【００８９】
以上のように、ポイント取得対象の番組であることを示す表示を行ったり、ポイントが付与されたことを示す表示を行ったりすることによって、どの番組がポイント取得対象であるのか、またポイントが付与されたのかをより判別しやすくなる。また、以上では、電子番組表、および視聴中の画面表示等を工夫する例を示したが、ポイント取得番組リストも同様にその表示方法を工夫しても良い。
【００９０】
（プログラムおよび記録媒体）
最後に、ＴＶ受像機１０に含まれている各部は、ハードウェアロジックによって構成すれば良い。または、次のように、ＣＰＵを用いてソフトウェアによって実現しても良い。
【００９１】
すなわち、ＴＶ受像機１０は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
【００９２】
この記録媒体は、上述した機能を実現するソフトウェアであるＴＶ受像機１０のプログラムのプログラムコード（実行形式プログラム，中間コードプログラム，ソースプログラム）をコンピュータで読み取り可能に記録していれば良い。ＴＶ受像機１０に、この記録媒体を供給する。これにより、コンピュータとしてのＴＶ受像機１０（またはＣＰＵやＭＰＵ）が、供給された記録媒体に記録されているプログラムコードを読み出し、実行すれば良い。
【００９３】
プログラムコードをテレビジョン受像機１０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
【００９４】
また、ＴＶ受像機１０を通信ネットワークと接続可能に構成しても、本発明の目的を達成できる。この場合、上記のプログラムコードを、通信ネットワークを介してＴＶ受像機１０に供給する。この通信ネットワークはＴＶ受像機１０にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【００９５】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【００９６】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９７】
本発明は、テレビジョン受像機、またはテレビジョン機能付きパーソナルコンピュータ等に適用することができる。
【符号の説明】
【００９８】
１０  ＴＶ受像機
４１  ポイント管理部
４２  時間管理部
４３  リスト取得部
４４  リスト更新部
４５  リスト保存部
４６  視聴情報管理部
４７  視聴状態判定部
４８  ポイント更新部
４９  ポイント保存部
５０  ポイント出力部
【図１】
2011160215.tif 000003
【図２】
2011160215.tif 000004
【図３】
2011160215.tif 000005
【図４】
2011160215.tif 000006